(57)【要約】【課題】より柔軟な料金構造についての移動体加入者の要求及び望みに移動無線網におけるコールの課金を一層良好に適合できるようにする移動局を提供すること。【解決手段】本発明の移動局は、移動体加入者に対してそれぞれ１つまたは複数の優先コール番号を定義および管理するための手段を有しており、この移動局は、優先コール番号であることを示す制御情報が配属されている、コールにより選択された宛先コール番号を、移動体加入者に対して定義された優先コール番号と比較する手段を有しており、移動局は、上記宛先コール番号が優先コール番号と一致した場合に、優先コール番号が存在することを示す情報を、宛先コール番号と共に移動無線網に通知する手段を有しており、上記移動無線網内で、受信した情報に基づいてコール料金を課金装置により通常の課金とは異なる料金で求める。【選択図】図１
2005192235.tif 000002
【特許請求の範囲】
【請求項１】
無線セルから形成されたセルラー方式の網構造を有する移動無線網の移動体加入者のコールを送受信するための移動局（ＭＳ，ＭＳ＊）であって、
該移動無線網は、通知情報および／または有効情報を移動局（ＭＳ）に送信または移動局（ＭＳから受信する無線技術装置（ＢＳＳ）と、
通知コネクションおよび／または有効コネクションをつなぐ交換技術装置（ＭＳＣ）と、
移動体加入者の加入者データを記憶する記憶装置と、
コールに関係するデータレコードを記録してその都度のコール料金を前記データレコードに依存して求める課金装置（ＢＣ）とを有する形式の移動局において、
前記移動局（ＭＳ，ＭＳ*）は、移動体加入者に対してそれぞれ１つまたは複数の優先コール番号（ＳＮ０，ＳＮ１，…，ＳＮｘ）を定義および管理するための手段（ＡＤＭ）を有しており、
前記移動局（ＭＳ，ＭＳ*）は、優先コール番号であることを示す制御情報（ＰＮＭ）が配属されている、コールにより選択された宛先コール番号を、移動体加入者に対して定義された優先コール番号（ＳＮ０，ＳＮ１，…，ＳＮｘ）と比較する手段（ＣＯＭ）を有しており、
前記移動局（ＭＳ，ＭＳ*）は、前記宛先コール番号が優先コール番号（ＳＮ０，ＳＮ１，…，ＳＮｘ）と一致した場合に、優先コール番号（ＳＮ０，ＳＮ１，…，ＳＮｘ）が存在することを示す情報を、宛先コール番号と共に移動無線網に通知する手段（ＴＲＸ）を有しており、
前記移動無線網内で、受信した情報に基づいてコール料金（ＡＭＯＵ）を課金装置（ＢＣ）により通常の課金とは異なる料金で求めることを特徴とする
移動局。
【請求項２】
前記優先コール番号（ＳＮ０，ＳＮ１，…，ＳＮｘ）は、移動局（ＭＳ，ＭＳ＊）または、移動局（ＭＳ）の加入者識別モジュール（ＳＩＭ）に記憶される
請求項１に記載の移動局。
【請求項３】
記憶されるエントリは、優先コール番号（ＳＮ０，ＳＮ１，…，ＳＮｘ）と、少なくとも１つの割り当てられたコール宛先（ＤＳＴＡ，ＤＳＴＢ，…，ＤＳＴｘ）とから形成されている
請求項１または２に記載の移動局。
【請求項４】
記憶されるエントリは、優先コール番号（ＳＮ０，ＳＮ１，…，ＳＮｘ）を示す短縮コードならびに被呼された加入者の名前をコール宛先（ＤＳＴＡ，ＤＳＴＢ，…，ＤＳＴｘ）として含んでいる、
請求項３に記載の移動局。
【請求項５】
優先コール番号（ＳＮ０，ＳＮ１，…，ＳＮｘ）が存在することを示す制御情報（ＰＮＭ）は、宛先コール番号と共に移動無線網に通知され、
該移動無線網内で、受信した情報に基づいて加入者別にコールの課金を行うことが指示される
請求項１から４までのいずれか１項に記載の移動局。
【請求項６】
コールの加入者別の課金を少なくとも示す情報（ＡＯＣ，ＰＮＭ）が移動無線網によって受信され、
前記情報（ＡＯＣ，ＰＮＭ）は、移動局（ＭＳ，ＭＳ＊）から視覚的および／または音響的手段を介して表示および／または通報される
請求項１から５までのいずれか１項に記載の移動局。
【発明の詳細な説明】
【技術分野】
【０００１】
本発明は、無線セルから形成されるセルラー方式の網構造を有する移動無線網の移動体加入者のコールを送受信するための移動局に関し、ここでこの移動無線網は、通知情報および／または有効情報を移動局に送信または移動局から受信する無線技術装置と、通知コネクションおよび／または有効コネクションをつなぐ交換技術装置と、移動体加入者の加入者データを記憶する記憶装置と、コールに関係するデータレコードを記録してその都度のコール料金を前記データレコードに依存して求める課金装置とを有する。
【背景技術】
【０００２】
例えばＧＳＭ規格（Global System for Mobile Communication）に準拠する移動無線網が、最小無線サービスエリアである無線セルが複数個集まって構成されるセルラー方式の網構造を有することは公知である。ここで複数の無線セルは、ロケーションエリアにまとめることができ、このロケーションエリアの大きさはネットワークプロバイダーにより、トラフィック密度、トラフィック流、人口密度および加入者の移動度によってなされる要求に依存して様々に設定されることも可能である。ネットワークプロバイダーは、無線セルの構造、配置、数およびロケーションエリアを含む無線網設計を設定する。さらにセルラー方式の網構造を備える移動無線網が、通知情報および／または有効情報を移動局に送信したり、移動局から受信するための無線技術装置、ならびに通知コネクションおよび／または有効コネクションをつなぐ交換技術装置を有することも公知である。移動無線網の記憶装置は、登録された移動体加入者の加入者データを含んでおり、これらの加入者はコールの中断を望むものもあれば待ち受けを望む加入者もいる。コールに対してその都度のコール料金を求めるために、課金装置が移動無線網に少なくとも１つ配置されており、この課金装置はコールに関連するデータレコード（例えばコール側加入者Ａおよび被コール側加入者Ｂのデータレコード）を記録し、このデータレコードに依存してコール料金を算出する。規制のない通信網の数の増加、移動性に対する需要の増加、電気通信パフォーマンスに対するコストの低下、ならびに有線の加入者を固定網に接続するための最後の数マイルを提供するためのコストが高い時代にあっては、移動通信システムにおいても、移動体加入者にとって、コールの課金により柔軟な料金構造があることが望ましい。そうであれば通例移動体加入者に比して安い料金を支払っている、有線の加入者の多数の待機者を移動通信へ移行させることができる。
【０００３】
国際特許明細書ＷＯ９７／２３０８１から、固定網の加入者に対しても移動無線網の加入者に対しても、インテリジェントネットワーク（ＩＮ）の装置（例えばＳＳＰ，ＳＣＰ，ＳＤＦ）との結合によってのみコールをコントロールするための方法およびシステムが公知である。ＩＮ装置を有効することにより公知のシステムに対して、電気通信網に実質的な変更なくても数の限られた網加入者に対して特別な課金を有効にすることが可能である。ここではインテリジェントネットワークは、Ｄ１に記載された解決手段を実行するための不可欠な前提条件である。このインテリジェントネットワークは複数の番号ペアを記憶し（移動無線網（ＭＣＮ）の外部に記憶し、したがって移動無線網の記憶装置には記憶しない）、この番号ペアにそれぞれ共通のコール番号（common call number）が一義的に割り当てられる。これらの番号を記録するための記憶装置として、加入者専用のＩＮ記憶装置が設けられている。
【特許文献１】国際特許明細書ＷＯ９７／２３０８１
【発明の開示】
【発明が解決しようとする課題】
【０００４】
本発明の課題は、より柔軟な料金構造についての移動体加入者の要求及び望みに移動無線網におけるコールの課金を一層良好に適合できるようにする移動局を提供することである。
【課題を解決するための手段】
【０００５】
上記課題は、本発明の請求項１により、無線セルから形成される、セルラー方式の網構造を有する移動無線網の移動体加入者のコールを送受信するための移動局であって、通知情報および／または有効情報を移動局に送信または移動局から受信する無線技術装置と、通知コネクションおよび／または有効コネクションをつなぐ交換技術装置と、移動体加入者の加入者データを記憶する記憶装置と、コールに関係するデータレコードを記録してその都度のコール料金を前記データレコードに依存して求める課金装置とを有する形式の移動局において、上記移動局は、移動体加入者に対してそれぞれ１つまたは複数の優先コール番号を定義および管理するための手段を有しており、この移動局は、優先コール番号であることを示す制御情報が配属されている、コールにより選択された宛先コール番号を、移動体加入者に対して定義された優先コール番号と比較する手段を有しており、移動局は、上記宛先コール番号が優先コール番号と一致した場合に、優先コール番号が存在することを示す情報を、宛先コール番号と共に移動無線網に通知する手段を有しており、上記移動無線網内で、受信した情報に基づいてコール料金を課金装置により通常の課金とは異なる料金で求めることを特徴とする移動局を構成することによって解決される。
【０００６】
本発明の発展形態は従属請求項に記載されている。
【発明を実施するための最良の形態】
【０００７】
本発明の移動局を用いたコールの課金においては、移動体加入者に対してそれぞれ１つまたは複数の優先コール番号を定義および管理し、優先コール番号であることを示す制御情報が配属される、コールによって選択された宛先コール番号を、移動体加入者に対して定義された優先コール番号と比較し、宛先コール番号が優先コール番号と一致した場合、コール料金を課金装置によって通常料金とは別に求める。加入者別に優先コール番号を設定することにより基本的に各々の移動体加入者は、所定のコール宛先を選択しかつ定義することができ、このコール宛先はその他のコールとは別に例えばより有利な料金率によって課金される。これによりコールの料金設定について移動体加入者およびネットワークプロバイダーの柔軟性が向上する。さらに本発明によって、多数の加入待機者の移動通信への移行交換を大いに促すことができる。ネットワークプロバイダーおよびサービスプロバイダーは優先コール番号により、移動体加入者に料金構造においてより高い柔軟性を提供することができ、ひいては段階付けされた料金構造が得られる。
【０００８】
本発明の１実施形態では上記の優先コール番号が移動局に記憶される。移動局での記憶は、移動体加入者本人が（例えば加入者本人の入力を介して）優先コール番号を変更し、追加し、消去し、コールでき、有利である。また優先コール番号を網側に記憶する場合には、この優先コール番号を加入者データとして移動無線網の少なくとも１つの加入者データベースに記憶しても、インテリジェットネットワークのサービス制御局の少なくとも１つの加入者データベースに記憶してもよい。網側での記憶では、優先コール番号は移動無線網のプロバイダーまたはインテリジェントネットワークのプロバイダーにより管理、制御される。加入者本人の入力を介して、網側に記憶された優先コール番号を操作することもできる。
【０００９】
優先コール番号を移動局側で加入者識別モジュール（ＳＩＭ）に記憶すると殊に有利であることが判明している。この場合に記憶装置のデータエントリは、有利には優先コール番号と所属の少なくとも１つのコール宛先とから形成される。
【００１０】
また記憶装置のデータエントリが優先コール番号を示す短縮コードならびにコールされた加入者の名前をコール宛先として有することも有利である。これはいわば移動局内の電話番号帳に相当する。
【００１１】
宛先コール番号と共に、優先コール番号が存在することを示す制御情報が移動局から移動無線網に通知されることによって、移動無線網は優先コール番号の存在についての情報を得られ、この移動無線網は受信した情報に基づいて、加入者別にコールの課金を指示する。
【００１２】
移動体加入者にとっては、少なくとも加入者別にコールが課金されたことを示す情報が移動無線網から提供され、これが移動局に通知され、さらにこの移動局により移動体加入者に指示されると有利である。この指示は、視覚的および／または音響的手段を介して表示および／または通報される。
【実施例】
【００１３】
本発明の詳細を図面に示した実施例で詳しく説明する。
【００１４】
図１は、移動局ＭＳおよびＭＳ＊と、移動無線網の網装置とを有する、コールに課金するための移動通信システムを示すブロック図である。これらのコールは、移動局ＭＳおよびＭＳ＊を操作する移動体加入者が送受信することができる。移動体加入者の２つの移動局ＭＳおよびＭＳ＊は、無線インタフェースを介して移動無線網の装置にワイヤレスで接続される。ここで移動無線網（例えばＧＳＭ規格に準拠する移動無線網）は、無線インタフェースに無線技術サブシステムＢＳＳを有し、このサブシステムＢＳＳは、セルラー構造化された移動無線網の個別の無線セル内に送受信ベース局と、受信局に接続されている基地局制御部とを有する。受信局は、通知情報ないしは有効情報を送受信するために使用され、これらの情報は移動局と網との間でワイヤレスで無線信号を介して交換される。基地局制御部は、無線伝送のための制御技術的な機能、例えば通知情報および／または有効情報が含まれる伝送チャネルを割り当てるために使用されている。しかし本発明は基本的に、ＧＳＭ規格とは動作の異なる別の移動通信システムにも適用可能である。
【００１５】
無線技術サブシステムＢＳＳには、交換技術サブシステムが接続されており、このサブシステムは通常、通知コネクションおよび／または有効コネクションを移動局にまたは移動局からつなぐための複数の交換技術装置（例えば移動交換局ＭＳＣ）を有する。この交換技術サブシステムにはさらに、記憶装置（例えば少なくとも１つのホームロケーションレジスタと、１つまたは複数のビジターロケーションレジスタ）が、移動無線網に登録された移動体加入者の加入者データを記憶するために配置されている。ここで移動体加入者の加入者データは、この加入者に割り当てられているホームロケーションレジスタに、この加入者が網に登録されている間は持続的にエントリされている。その一方移動体加入者の加入者データはビジターロケーションレジスタに、所属の移動交換局ＭＳＣの担当領域にこの移動体加入者が滞在する間だけ一時的にエントリされる。移動交換局ＭＳＣにはこの実施例では関門移動交換局ＧＭＳＣが接続されており、この関門移動交換局ＧＭＳＣは、この移動無線網から別の通信網（例えば公衆の加入者線に接続された電話網ＰＳＴＮまたは別の移動無線網ＰＬＭＮ）へのインタフェースにおけるコネクションを確立する。ここで移動交換局ＭＳＣは、移動局ＭＳとＭＳ＊とが関係するコールを担当しているとする。さらにコール宛先（被呼される加入者Ｂ）は別の網内にあり、移動交換局ＭＳＣからのコールコネクションは、関門移動交換局ＧＭＳＣを経由して、そこから別の網に導かれる。
【００１６】
各々の移動交換局ＭＳＣには、課金装置ＢＣが接続されており、この課金装置ＢＣは、発呼した加入者Ａ（ここでは移動局ＭＳを操作する移動体加入者）のコールに関連するデータレコードと、コールされた加入者Ｂのコールに関連するデータレコードを記録し、その都度のコール料金を、所定のコール料金率を考慮しＡ側およびＢ側のデータレコード（Call Data Record）を結びつけることにより求める。ここで各々の移動交換局ＭＳＣは、オンライン伝送に対してコール料金を評価するために少なくとも１つのゾーン化／課金表を有しており、このゾーン化／課金表により移動局ＭＳ，ＭＳ＊に料金を指示する。したがってこれはオンライン課金に関する課金装置ＢＣの機能的なコピーである。課金装置ＢＣには管理装置ＣＣＣ（Customer Care Center）が接続されており、この管理装置は一方では課金装置ＢＣを管理し、他方ではネットワークプロバイダーＯＰまたはサービスプロバイダーＳＰの入力を、専用のインタフェースを介して受信する。ネットワークプロバイダーＯＰまたはサービスプロバイダーＳＰは課金装置ＢＣに対するアクセスも行い、通常のコール料金率および特殊なコール料金率の実装、変更、または置換を行うことができる。
【００１７】
移動局ＭＳとＭＳ＊には、各々の移動体加入者に対して１つまたは複数の優先コール番号ＳＮ０，ＳＮ１およびＳｎｙ，Ｓｎｘが定義および管理されている。これらの優先コール番号は、有利には移動体加入者識別モジュールＳＩＭに記憶されており、加入者Ａが選択した加入者Ｂのその都度の宛先コール番号と一致するかどうか比較される。この比較の意味と目的は、網側でのコールの課金を通常の課金とは異なる料金で優先コール番号が存在するかどうかを識別することである。網の重要な処理は例えば、すべての優先コール番号に対して、課金のためにより安いコール料金率を使用することである。選択された優先コール番号の一部に対する料金表のさらなる段階付けは、移動無線網つまり実質的には課金装置ＢＣにより同様に可能である。したがって移動体加入者は、（加入者Ｂの）宛先コール番号のセットを優先コール番号として設定することができ、この優先コール番号は別の課金構造で、すなわち特別な料金構造であっても網側で処理される。優先コール番号の管理（変更、追加、消去、問い合わせ）は最も簡単な場合には、移動体加入者の加入者本人の入力（Subscriber Controlled Input）により行うことができ、この管理に対して場合によっては料金がかけられる。移動無線網は相応の通知情報を移動局に常時送信するため、加入者別の課金であることを示す少なくとも１つの情報および／または発生したコール料金の視覚的／音響的指示も与えることができる。
【００１８】
この実施例では各々の移動局ＭＳとＭＳ＊にそれぞれ、２つのエントリが番号リストＰＮＬとＰＮＬ＊（Prefered Number List）に設けられている。各々のエントリは少なくとも１つの優先コール番号と、所属のコール宛先とを有する。優先コール番号は最も簡単な場合、宛先コール番号から成り、この宛先コール番号には、この宛先コール番号が優先コール番号であることを示す標識が配属される。この標識は、すべてのコール番号に対して統一的に使用される記号ＰＮＭ（Prefered Number Mark）であり、この記号ＰＮＭは定義の際に設定され、消去の際には設定が解除される。したがって移動局ＭＳの番号リストＰＮＬ内の第１エントリは、宛先コール番号ＳＮ０、この宛先コール番号に所属するコール宛先ＤＳＴＡおよび標識ＰＮＭから成る。第２エントリは、所属のコール宛先ＤＳＴＢを伴う、優先コール番号としての宛先コール番号ＳＮ１を有する。これが優先コール番号であるのは同様に標識ＰＮＭが設定されているからである。記憶装置の各々のエントリは、優先コール番号ＳＮ０，ＳＮ１を識別するための短縮コードと、コールされた加入者の名前をコール宛先ＤＳＴＡ，ＤＳＴＢとして含むことができ、これによりこれらのデータを電話帳と同じように移動局側でコールすることができる。同様に移動局ＭＳ＊内には番号リストＰＮＬ＊が存在し、この番号リストＰＮＬ＊の第１エントリは、所属のコール宛先ＤＳＴｙを伴う優先コール番号ＳＮｙと、標識ＰＮＭとを含み、その第２エントリは、所属のコール宛先ＤＳＴｘを伴うコール番号ＳＮｘと、標識ＰＮＭとを含む。
【００１９】
ここで前提としているのは、移動局ＭＳを操作する移動体加入者が、ここから発信したコールを開始し、コールされる加入者Ｂ（同様に移動体加入者である。しかし加入者線に接続された加入者であってもよい）の宛先コール番号を選択することである。比較の結果、選択されたコール番号が、記憶された優先コール番号ＳＮ０およびＳＮ１のいずれかに一致した場合、加入者別のコールの課金が課金装置ＢＣにより行われる。この実施例では移動体加入者は、優先コール番号の１つであるコール番号ＳＮ０を選択している。移動局ＭＳ（すべての移動局を代表する）は、移動体加入者に対して優先コール番号ＳＮ０，ＳＮ１を定義しかつ管理する制御および管理ユニットＡＤＭを有する。さらにこの移動局は、比較手段ＣＯＭを有し、この比較手段ＣＯＭがコールにより選択された宛先コール番号を、移動体加入者に対して定義されかつＳＩＭモジュールから読み出された優先コール番号ＳＮ０，ＳＮ１と比較する。宛先コール番号ＳＮ０と、２つの優先コール番号ＳＮ０，ＳＮ１のいずれか１つとの一致が得られることにより、移動局ＭＳはその送受信ユニットＴＲＸにより、コール番号ＳＮ０を標識ＰＮＭと共に送信する。この送信は通知情報内で、無線サブシステムＢＳＳを介して担当の移動交換局ＭＳＣに対して行われる。この移動交換局ＭＳＣは、到来する標識ＰＮＭに優先コール番号が存在することを読み取る。この標識ＰＮＭは課金装置ＢＣに、このコールに対して通常とは別の課金が行われなければならないことを通知する。この異なる処理とは、例えば比較的に少ない料金率ＰＴＡＲ（Prefered Tarif)を課金装置ＢＣ内および（オンライン課金のために）移動交換局ＭＳＣ内で考慮することである。またそうでなければ料金の計算は記録されたデータレコードを用いて公知のように行われる。
【００２０】
コールコネクションは、コール宛先ＤＳＴＡが設定した宛先コール番号に基づいて移動交換局ＭＳＣから関門移動交換局ＧＭＳＣに対して確立される。なぜならば加入者Ｂは別の通信網ＰＬＭＮ／ＰＳＴＮの加入者であるからである。最後にコールの終了後、コール合計料金ＡＭＯＵが得られ、このコール合計料金ＡＭＯＵが移動体加入者に課金される。課金装置ＢＣは移動交換局ＭＳＣにすでに前もって（すなわち場合によってコネクション確立の前、またはそのすぐ後に）、専用の料金率ＰＴＡＲまたは優先課金についての案内を含む少なくとも１つの情報を逆に通知している。移動交換局ＭＳＣから、課金に関する情報ＡＯＣ（Advice of Charge）が、無線サブシステムＢＳＳを介して移動局ＭＳに連続して通知され、この移動局ＭＳは到来する情報から合計料金を計算して加入者に有利には視覚的にディスプレイに表示する。課金に関して優先する処理が存在することを網から移動局へ逆通知することも同様に可能である。この場合、標識ＰＮＭを確認のために逆送信することも考えられる。
【００２１】
図１とは異なり図２は、移動局ＭＳ＊と移動無線網との間の情報の通知を示している。なぜならばコールは移動局ＭＳ＊を操作する移動体加入者から開始されたからである。宛先コール番号は優先コール番号ＳＮｘであり、この優先コール番号ＳＮｘは標識ＰＮＭと共に網の方向に送信される。移動交換局ＭＳＣはこの標識を登録し、課金装置ＢＣにコール料金を求めるために優先料金率ＰＴＡＲ＊を使用することを指示する。選択されたコール番号により、コール宛先ＤＳＴｘへのコールコネクションを確立することができる。このコール宛先ＤＳＴｘはこの実施例では移動体加入者Ｂに所属し、同じ移動無線網の別の移動交換局ＭＳＣ＊の担当領域に存在する。情報ＡＯＣの逆通知は図１の実施例と類似に、同様に網と移動局ＭＳ＊との間で行われ、これにより移動体加入者はそのコールの専用の料金率について情報を得ることができる。
【００２２】
図１および２の図とは択一的に図３は、移動局ＭＳおよびＭＳ＊に対する番号リストＰＮＬおよびＰＮＬ＊を網側に記憶する例を示している。記憶場所は移動無線網の加入者データベースである（有利にはホームロケーションレジスタＨＬＲまたはビジターロケーションレジスタＶＬＲである）。移動体加入者に対するエントリは、図１および２と同様であり、つまり宛先コール番号ＳＮ０，ＳＮ１およびＳＮｙ，ＳＮｘは、各々に設定された標識ＰＮＭによって優先コール番号として宣言されている。ここで優先コール番号として宣言された宛先コール番号ＳＮ０，ＳＮ１およびＳＮｙ，ＳＮｘがすべて固有の表に含まれる場合、標識ＰＮＭの記憶を省略することができる。コールした加入者の名前を表すコール宛先ＤＳＴＡ，…，ＤＳＴｘの記憶はオプション的に網側でも可能である。図１の実施例を引き合いに出すと、移動局ＭＳを介して入力された加入者Ｂの宛先コール番号ＳＮ０は移動交換局ＭＳＣに通知される。この移動局ＭＳはコールする側の加入者Ａの加入者データに、宛先コール番号に一致する優先コール番号が存在するかどうかを問い合わせ、ホームロケーションレジスタＨＬＲまたは所属のビジターロケーションレジスタＶＬＲから相応の応答情報を受信する。この実施例では宛先コール番号ＳＮ０は優先コール番号として定義されておりかつ網側に記憶されているため、移動交換局ＭＳＣは課金装置ＢＣに、コール料金を求めるために優先料金表ＰＴＡＲを使用することを通知可能である。選択されたコール番号により、この実施例では別の網の担当領域に存在する、加入者線に接続された加入者のコール宛先ＤＳＴＡへのコールコネクションが確立される。情報ＡＯＣの逆通知は、図１の例と類似に、同様に網と移動局ＭＳとの間で行われ、これにより移動体加入者は、少なくともそのコールの専用の料金率について、または発生した料金について付加的に情報を得ることができる。
【００２３】
１つまたは複数の加入者データベース内に網側で記憶された番号リストＰＮＬおよびＰＮＬ＊は、移動体加入者により加入者本人の入力を介して、またはネットワークプロバイダーＯＰないしはサービスプロバイダーＳＰにより課金装置ＢＣないしは管理装置ＣＣＣへの専用のインタフェースを介して管理および制御、すなわち変更、補充、消去または問い合わせを行うこともできる。
【００２４】
図４は図３とは異なる移動通信システムのブロック図を示しており、ここで移動局ＭＳおよびＭＳ＊に対する番号リストＰＮＬおよびＰＮＬ＊を網側で記憶する択一的なこの実施例の特徴は、インテリジェントネットワーク（ＩＮ）のサービス制御局ＳＣＰ（Service Control Point）にある。これによって優先コール番号を定義および管理することによる柔軟な料金構造を、移動無線網の網構造に依存しないでインテリジェンスのある網機能を実行するために使用されるＩＮ機能を束ねた場合にも達成することができる。記憶場所はサービス制御局ＳＣＰ内の加入者データベースＩＮＤである。移動体加入者のためのエントリは図３と同じ、すなわち宛先コール番号ＳＮ０，ＳＮ１およびＳＮｙ，ＳＮｘは優先コール番号として、各々に設定された標識ＰＮＭによって宣言されるか、または優先コール番号として優先コール番号表に記憶される。コールした加入者の名前を示すコール宛先ＤＳＴＡ，…，ＤＳＴｘの記憶を、オプション的に網側で優先させることもできる。
【００２５】
図３の例を引き合いに出すと、移動局ＭＳを介して入力された加入者Ｂの宛先コール番号ＳＮ０は移動交換局ＭＳＣに通知される（１）。この移動交換局ＭＳＣはコール確立時にサービス制御局ＳＣＰに分岐し、加入者データベースＩＮＤに宛先コール番号に一致する優先コール番号が存在するかどうかを問い合わせる（２）。ここでサービス制御局ＳＣＰは、このコールのオンライン課金に関する課金装置ＢＣの機能的なコピーを含んでおり、これは図１および図２の説明と同様である。応答として移動交換局ＭＳＣは、移動交換局ＭＳＣに宛先コール番号ＳＮ０が優先コール番号として定義されており、網側で記憶されていることを確認する情報を受信する（３）。それに基づいて移動交換局ＭＳＣは指示を与え、コール料金を求めるために課金装置ＢＣに優先料金率ＰＴＡＲを考慮させる（４）。受信した宛先コール番号ＳＮ０によって移動交換局ＭＳＣから、加入者線に接続された加入者のコール宛先ＤＳＴＡへのコールコネクションが確立される。ここでこのコール宛先ＤＳＴＡはこの実施例では別の網の担当領域にある。課金装置ＢＣは少なくとも専用の料金率ＰＴＡＲについての情報を、移動交換局ＭＳＣに返信する（５）。優先的な処理があることを示す情報ＡＯＣの、指示（例えば標識ＰＮＭからなる）を含めた逆通知は、図３の例と類似に、同様に網と移動局ＭＳとの間で行われ、これにより移動体加入者は、少なくともそのコールの専用の料金について、または発生した料金について付加的に情報を得ることができる。
【００２６】
インテリジェントネットワークノードＳＣＰの加入者データベースＩＮＤ内に網側で記憶された番号リストＰＮＬおよびＰＮＬ＊は、移動体加入者により移動体加入者本人の入力を介して、またはＩＮ網のネットワークプロバイダーないしはインテリジェントサービスのサービスプロバイダーＳＰにより（相応のインテリジェント周辺装置によって）課金装置ＢＣないしは管理装置ＣＣＣへの専用のインタフェースを介して管理、制御、すなわち変更、補充、消去または問い合わせを行うこともできる。加入者本人の入力を介して、加入者リストＰＮＬ，ＰＮＬ＊を移動体加入者が変更することができる。
【００２７】
図５のブロック図は、移動局ＭＳおよびＭＳ＊に対する番号リストＰＮＬ，ＰＮＬ＊を網側で記憶する別の択一的な例を示している。記憶場所は課金装置ＢＣのデータベースＢＣＤである。移動局ＭＳを介する加入者Ａのコールは、通常に経過するコールとして処理される。すなわち選択された宛先コール番号ＳＮ０は網から通知され、移動交換局ＭＳＣにより評価される。課金装置ＢＣにおいてはじめて、データベースＢＣＤに記憶された優先コール番号を含む番号リストを用いて、通常とは異なるコール処理を実行すべきかどうかが決定される。リストＰＮＬ，ＰＮＬ＊の両方または一方に記憶された宛先コール番号を、通知されたコール番号と比較して一致という肯定的な結果が得られると、優先コール番号ＳＮ０が存在するために別の料金率ＰＴＡＲが、コール合計料金ＡＭＯＵを求めるために使用される。受信した宛先コール番号ＳＮ０に基づいて、移動交換局ＭＳＣから加入者線に接続された加入者のコール宛先ＤＳＴＡへのコールコネクションが確立される。後処理中に読み出されかつ課金装置ＢＣ内に網側で記憶された番号リストＰＮＬおよびＰＮＬ＊は、ネットワークプロバイダーＯＰないしはサービスプロバイダーＳＰにより、課金装置ＢＣへの専用のインタフェースを介して管理、制御すなわち変更、補充、消去または問い合わせを行うこともできる。加入者本人の入力を介して、加入者リストＰＮＬ，ＰＮＬ＊を移動体加入者が変更することができる。
【００２８】
図６は番号リストＰＮＬ（これは番号リストＰＮＬ＊も代表する）に作用するための情報の流れを示している。この作用は一方では移動局ＭＳおよびＭＳ＊の側から移動体加入者本人により、他方ではネットワークプロバイダーＯＰないしはサービスプロバイダーＳＰの側から行われる。優先コール番号が加入者識別モジュールＳＩＭに存在する場合、加入者は加入者本人の入力ＳＣＩを開始する。その一方網側では命令ＣＯＭがネットワークプロバイダーＯＰないしはサービスプロバイダーＳＰにより起動される。番号リストに記憶された情報の制御がどの装置から行われるかには依存しないで、加入者本人による入力ＳＣＩと命令ＣＯＭは、優先コール番号を定義／調整するための情報「create」、優先コール番号を消去するための情報「delete」、優先コール番号を変更するための情報「modify」、または個別またはすべての優先コール番号を問い合わせるための情報「interrogate」を含む。移動局側または網側で受信した制御情報に基づいて標識ＰＮＭは設定／解除され、この標識ＰＮＭが例えば優先コール番号ＳＮ０，ＳＮ１または新たな優先コール番号Ｓｎｚに対して場合によって所属のコール宛先ＤＳＴｚと共に、既存のリストＰＮＬに追加される。加入者本人による管理および制御の場合に、アクションの結果、網側で求めた料金計算「Bill」が発生することもある。
【図面の簡単な説明】
【００２９】
【図１】移動局側に記憶された優先コール番号を使用して移動体加入者のコールに課金する移動局と網装置とを備える移動通信システムのブロック図である。
【図２】移動局側に記憶された優先コール番号を使用して移動体加入者のコールに課金する移動局と網装置とを備える移動通信システムの別のブロック図である。
【図３】網側で加入者データベースに優先コール番号を記憶してコールに課金する移動通信システムのブロック図である。
【図４】網側でサービス制御局に優先コール番号を記憶してコールに課金する移動通信システムのブロック図である。
【図５】網側で課金装置の後処理ユニットに優先コール番号を記憶してコールに課金する移動通信システムのブロック図である。
【図６】移動局側または網側に記憶された優先コール番号にアクセスするための移動局またはネットワークプロバイダーの通知を示す図である。
【図６】
2005192235.tif 000003
【図１】
2005192235.tif 000004
【図２】
2005192235.tif 000005
【図３】
2005192235.tif 000006
【図４】
2005192235.tif 000007
【図５】
2005192235.tif 000008